【事件の表示】
　平成４年特許願第１０２８０４号「画像読出コードマークを付した印刷物を用いた画像再生出力装置」拒絶査定に対する審判事件［平成５年１１月１２日出願公開、特開平５−２９８５０１］について、次のとおり審決する。
【結　論】
　本件審判の請求は、成り立たない。
【理　由】
（手続きの経緯、本件発明）
　本願は、平成４年４月２２日に出願したものであって、その請求項１に係る発明は、平成１２年７月６日付けの手続補正書により補正された明細書及び図面の記載からみて、その特許請求の範囲の請求項１に記載された事項により特定される次のとおりのものである。
「基材の片面又は両面に適宜絵柄、文字、記号等の表示部領域を設けた印刷物の該領域内又は／及び領域外に付した１乃至複数個の□形状ブロックを田の字状に４分割して得られる各々４つの小ブロック領域のうち記録すべき所定の情報信号に基づいて選定される所定の小ブロック領域に着色を施したフレーム画像アドレスコードマークを読み取るためのエリア型ＣＣＤ読取手段４を設け、該アドレスコードマーク３の読取により得られるアドレス信号に基づいて、フレーム指定信号に変換する信号変換手段５を設け、該信号変換手段５により変換されたフレーム指定信号を入力する画像再生装置６を設け、該画像再生装置６は、フレーム指定信号に基づいて画像記録媒体１０に記録されているフレーム画像の中から指定フレーム画像領域を捜査するフレーム画像捜査手段７と、画像記録媒体１０の画像を画像信号として再生する画像再生手段８と、該画像再生手段８によって再生された画像信号を一旦メモリする画像メモリ手段９とを備え、前記フレーム画像捜査手段７により捜査され前記画像再生手段８によって再生された画像信号を指定フレーム画像として再生出力するためのＣＲＴディスプレイ装置を設けたことを特徴とする画像読出コードマークを付した印刷物を用いた画像再生出力装置。」
（引用刊行物記載の発明）
　これに対し、原査定の拒絶の理由に引用された特開平２−１１１６６１号公報（以下、刊行物１という。）には、画像再生システムにおける画像データ再生装置に関する発明が記載されており、「本発明によれば、画像データを受け、画像データを記憶装置に蓄積するとともに画像データの表す画像を受像媒体に記録する画像出力装置を有する画像再生システムにおける画像データ再生装置は、記憶装置に蓄積された画像データを検索するための検索情報を画像データ毎に発生する検索情報発生手段と、検索情報発生手段により検索情報を受信し、記憶装置に蓄積された画像データが検索情報により検索できるよう画像データの検索情報を記憶装置に記憶させるとともに、画像データを受像媒体に記録する際、画像データの検索情報を受像媒体に記録してプリント出力するよう画像出力装置を制御する制御手段とを有し、プリント出力された画像データの検索情報を制御手段が受けると、制御手段は記憶装置に蓄積されている画像データの中からプリント出力された画像データを検索する。また上述に記載の画像再生システムにおいて、再生システムにおけるプリント出力は、画像データとともに画像データの検索情報が記録される。」（第２頁左下欄第１７行〜右下欄第１８行）、「第１図を参照すると画像再生システムの実施例が示されている。本実施例における画像再生システムは、画像データ再生装置１，映像モニタ２，ビデオプリンタ３，バーコード読取り装置４及びファイル装置５を有する。」（第３頁右上欄第４〜８行）、「映像モニタ２は、再生装置１より送られてきた画像信号をモニタ上に表示する表示器である。ビデオプリンタ３は、モニタ２に表示した画像信号のハードコピーを出力するプリント出力装置である。」（第２頁右上欄第１６〜２０行）、「画像データ再生装置１は、カード読取り部１０，信号処理部１２，フレームメモリ１４，デジタル・アナログ変換器１６，バーコードデータ発生部１８および制御部２０を有する。」（第３頁右上欄第８〜１１行）、「フレームメモリ１４は、１フレーム分の画像信号を色成分RGB毎にそれぞれ蓄積可能な記憶容量を有するRAMである。色成分RGB毎にフレームメモリに記録された画像信号はそれぞれ、制御バス１００を介し送られてくる制御部２０の制御出力に従って出力２０４を介しデジタル・アナログ変換器１８に送られる。フレームメモリ１４はまた、画像データ処理が施された画像データ２４６を制御部２０の制御によりファイル装置５に送る。」（第３頁左下欄第４〜１２行）、「制御部２０は、制御バス１００を介し画像データ再生装置１の各構成要素を統括制御する中央処理部である。とくに本実施例では、ビデオプリンタ３によりプリント出力されたプリント７（第２図）の検索に関する制御を行なう。すなわち制御部２０は、メモリカード６に記録されていた１フレーム分の画像信号を、これに対応するバーコードの検索情報２４４とともにファイル装置５に格納する。制御部２０はまた、プリント７を出力する際、そのプリントのバーコードを出力２４０を介しデジタル・アナログ変換器１６に送ることにより、プリント７の所定の場所にバーコード７０（第２図）を表示する。制御部２０は入力２５０を介しバーコード読取り装置４に接続されている。バーコード読取り装置４は、ビデオプリンタ７に表示されたバーコード７０を読み取る装置である。読取り装置４は、バーコード７０を識別すると、その識別情報２５０を制御部２０に送る。制御部２０は、識別情報２５０を受信すると、この識別情報２５０に該当する画像をファイル装置５より検索し、検索した画像をたとえばビデオプリンタ３によりプリンタ出力するデジタル・アナログ変換器１８を制御する。なお、検索しコピーしたプリント７には読取り装置で読み取ったバーコードと同じものが表示される。」（第３頁右下欄第７行〜第４頁右上欄第１１行）、「使用者が読取り装置４でプリント７のバーコード７０を読み込むと、この装置４で識別されたバーコード７０は出力２５０を介し制御部２０に送られる。制御部２０は、読取り装置４より送られてきたバーコード情報２５０を受信すると、このバーコード情報２５０に該当する画像データをファイル装置５より検索する。制御部２０は、画像データを検索すると、その画像データを出力２４６を介しフレームメモリ１４に送るようファイル装置５を制御する。出力２４６によりメモリ１４に送られた画像データは、前述と同様に受信信号処理部１２よりフレームメモリ１４に送られ、デジタル・アナログ変換器１６を介しビデオプリンタ３によりプリント出力される。」（第４頁左下欄第１４行〜右下欄第７行）、「検索情報はバーコードに限定されるものではない。すなわち、たとえば磁気コードや可視的文字・記号をプリント７に記録したり、またはその他検索情報をプリント７に焼き込んだりし、これにより検索するとしてもよい。」（第４頁左下欄第１６〜２０行）と説明されている。
  同じく、原査定の拒絶の理由に引用された特開昭４８−３１０３５号公報（以下、刊行物２という。）には、印刷媒体に於ける視聴覚等による関連情報検索装置に関する発明が記載されており、「本発明は印刷媒体には所定の内容の印刷以外に適宜該当内容部分に関連して索引コードまたは読取可能な活字を付加せしめておき、読取りにあたって上記コードまたは活字を読取検索装置を用いて関連情報が蓄積されている箇所を選択し、視聴覚等により関連情報を提示することを特徴とする。本発明方式を一実施例について図面で説明すると、第１図で図書１中に所定の内容印刷の他に音声映像文字写真等他媒体からの情報を必要とする事項を本文中に指定し、これに対応する索引コード２をもりこむ。このコード２をコードピックアップ８で読取って電気信号に変換して送り出し変換中継器（コード変換器）４で前記の電気信号を受けて情報検索装置及び情報提示端末機器５の入力に適合した信号に変換して送出するのである。尚変換中継器４には表示器類４ｄを設けて読取機８及び検索装置５の応答状況の表示を行う。」（第２頁左上欄第９〜１９行）と説明されている。
（対比）
　本件発明と上記刊行物１記載の発明とを対比すると、
(1)上記刊行物１記載の発明のプリント７には、画像データとともに画像データの検索情報が記録されているところ、この点は、本件発明の印刷物が、基材の片面に適宜絵柄、文字、記号等の表示部領域を設け、かつ、該領域外にフレーム画像アドレスコードマークを付したとする点に相当する。
(2)上記刊行物１記載の発明の画像データ再生装置１においては、制御部２０によりバーコード情報に該当する画像データをファイル装置５より検索するとしており、この点は、本件発明の画像再生装置６が、フレーム画像捜査手段７により画像記録媒体１０に記録されているフレーム画像の中から指定フレーム画像領域を捜査するとする点に相当する。
(3)上記刊行物１記載の発明の画像データ再生装置１において、制御部２０は、画像データを検索すると、その画像データをフレームメモリ１４に送るようファイル装置５を制御するようにしており、画像データ再生装置１が制御部２０及びフレームメモリ１４を備えるとする点は、本件発明の画像再生装置６が、画像記録媒体１０の画像を画像信号として再生する画像再生手段８と、画像再生手段８によって再生された画像信号を一旦メモリする画像メモリ手段９とを備えるとする点に相当する。
(4)上記刊行物１記載の発明においては、画像データ再生装置１により送られてきた画像データを表示する映像モニタ２を備えるとしており、この点は、本件発明が、フレーム画像捜査手段７により捜査され前記画像再生手段８によって再生された画像信号を指定フレーム画像として再生出力するためのＣＲＴディスプレイ装置を設けたとする点に相当する。
　以上の検討を踏まえると、本件発明と上記刊行物１記載の発明とは、次の点で相違し、その余では一致する。
(a)フレーム画像アドレスコードマーク（検索情報）及びその読み取りに関し、本件発明においては、１乃至複数個の□形状ブロックを田の字状に４分割して得られる各々４つの小ブロック領域のうち記録すべき所定の情報信号に基づいて選定される所定の小ブロック領域に着色を施したフレーム画像アドレスコードマークをエリア型ＣＣＤ読取手段により読み取るとしているのに対し、上記刊行物１記載の発明においては、ファイル装置に格納された画像データを検索する検索情報（バーコード）をバーコード読取り装置により読み取るとしている点
(b)本件発明においては、アドレス信号に基づいて、フレーム指定信号に変換する信号変換手段５を設け、その信号変換手段５により変換されたフレーム指定信号を画像再生装置６に入力するとしているのに対し、上記刊行物１記載の発明にはその点についての言及がない点
（相違点についての検討）
　次に、上記相違点について検討する。
　上記相違点(a)について
　□形状ブロックを田の字状に４分割して得られる４つの小ブロック領域のうち、選定される所定の小ブロック領域に着色を施して所望のコードを表現するといったこと、このコードをバーコードに代えて用いるといったこと、及び、このコード読み取りのために、二次元パターンを識別できるＣＣＤ（本件発明のエリア型ＣＣＤ読取手段に相当する。）を用いるといったことは、本件出願前普通に知られていること（必要ならば、例えば、特開昭６３−２５４５８６号公報、特開昭６３−２２６７９６号公報を参照されたい。）であり、また、上記刊行物１には、検索情報としてバーコード以外のものを用いてもよい旨示唆されている（上記刊行物１の第４頁左下欄第１６〜２０行）からすると、上記所望のコード及びそのための読取り装置を上記刊行物１記載の発明に適用するとすることは、当業者が容易になし得ることにすぎない。
　上記相違点(b)について
　上記刊行物２には、読取ったコード２をコード変換器４にて情報検索装置及び情報提示端末機器５の入力に適合した信号に変換し、その変換した信号により情報検索装置及び情報提示端末機器５より前記コード２に対応した情報を取得することが記載されているところ、上記刊行物１記載の発明において、上記刊行物２に記載されているように、検索情報をファイル装置に適合した形に変換し、その変換した信号によりファイル装置より該当の画像信号を取得するとすることは、当業者が適宜なし得ることにすぎない。
（まとめ）
  以上のとおりであるから、結局のところ、本件発明は、上記刊行物１記載の発明及び上記刊行物２記載の発明に基づき、周知技術を参酌して、当業者が容易に発明をすることができたものであるから、特許法第２９条第２項の規定により特許を受けることができない。
　
　よって、結論のとおり審決する。